(57)【要約】【課題】  間仕切り壁を安定して支持できる。間仕切り壁等の施工後に側面部に配線器具の移設や増設が簡単にできるると共に移設や増設の際に幅木を傷付けない。【解決手段】  両側の側面部１と、スタッド２が立設されるスタッド立設部３を設けた上面部４と、両側面部１と上面部４とで囲まれた配線ケーブル１５を収容するための配線収容空所５とを備える。側面部１の長手方向に、複数の幅木取付け部７と、複数の開口部８と、複数の配線器具取付け部１０とをそれぞれ隔設する。複数個の任意の配線器具取付け部１０に配線器具９を取付け、側面部１の配線器具９を取付けていない部分を幅木６で隠蔽すると共に幅木６に設けた被取付け部１１を側面部１の幅木取付け部７に着脱自在に取付ける。【選択図】        図１
2005253185.tif 000002
【特許請求の範囲】
【請求項１】
両側の側面部と、スタッドが立設されるスタッド立設部を設けた上面部と、両側面部と上面部とで囲まれた配線ケーブルを収容するための配線収容空所とを備え、両側面部のうち一方の側面部又は両側面部の長手方向に、幅木を着脱自在に取付けるための複数の幅木取付け部と、複数の開口部と、配線器具を取付けるための複数の配線器具取付け部とをそれぞれ隔設し、長手方向の複数個の配線器具取付け部のうち任意の配線器具取付け部に配線器具を取付け、側面部の配線器具を取付けていない部分を幅木で隠蔽すると共に幅木に設けた被取付け部を側面部の幅木取付け部に着脱自在に取付けて成ることを特徴とする配線ダクト。
【請求項２】
スタッド立設部に配線収容空所と上面部の上方の空間とを連通するための配線挿通孔を設けて成ることを特徴とする請求項１記載の配線ダクト。
【請求項３】
両側の側面部の下端間の下面部に配線収容空所と下方の空間とを連通する下配線挿通用開口を設けて成ることを特徴とする請求項１又は請求項２記載の配線ダクト。
【発明の詳細な説明】
【技術分野】
【０００１】
本発明は、スタッド立設部を有し且つ内部が配線収容空所となり且つ側面部に配線器具を取付けることができる配線ダクトに関するものである。
【背景技術】
【０００２】
従来から、間仕切り壁となる壁パネル幅木取付け具が知られている。（例えば、特許文献１、特許文献２参照。）
上記特許文献１や特許文献２に示される従来例にあっては、基本形態が床に固定する下横片の巾方向の中間部と、壁パネルを載置する上横片の巾方向の中間部とを縦片で連結したもので、縦片の左右両側方にそれぞれ配線ケーブルを収納するための配線収容空所を形成し、両側面が全長にわたって開口した構成となり、このように全長にわたって形成した側面の開口に配線器具を取付けた幅木を配置し、幅木に取付けた配線器具と配線収容空所に収納した配線ケーブルとを接続し、該幅木を全長が開口した側面の開口の上下縁に設けた係止部に係止するように構成してある。
【０００３】
ところが、この従来例にあっては、間仕切り壁となる壁パネルの荷重は上横片の巾方向の中間部と下横片の巾方向の中間部とを一体に接続する縦片でのみ支持することになり、安定性が悪いという問題がある。しかも、縦片の左右両側方がそれぞれ配線収容空所となっているが、左右の配線収容空所を縦片で仕切っているため、例えば、左側の配線収容空所内に収納した配線ケーブルを右の側面の開口に取付ける幅木に設けた配線器具に接続することができない（また、右側の配線収容空所内に収納した配線ケーブルを左の側面の開口に取付ける幅木に設けた配線器具に接続することができない）という問題がある。
【０００４】
しかも、上記従来例においては、幅木に配線器具を取付けるので、幅木にあらかじめ配線器具を取付けた状態で、幅木に取付けた配線器具に配線収容空所に収納した配線ケーブルを接続する作業が必要であり、しかも、幅木に配線器具を取付け且つ配線ケーブルに接続した状態で幅木を側面の開口の上下に設けた係止部に係止して取付ける作業を必要とし、これらの作業が煩雑であるばかりでなく、これらの作業中に幅木を傷付けるおそれがある。
【特許文献１】特開平９−１３５５３号公報
【特許文献２】特開平９−１４４１７６号公報
【発明の開示】
【発明が解決しようとする課題】
【０００５】
本発明は上記の従来の問題点に鑑みて発明したものであって、間仕切り壁を安定して支持でき、また、間仕切り壁等の施工後に配線ダクトの側面部に配線器具の移設や増設が簡単にでき、しかも、配線器具の移設や増設の際に幅木を傷付けたりすることがなく、更に、間仕切り壁内と配線収容空所内との間や、床下と配線収納空所との間で配線ケーブルを通して配線作業が容易にできる配線ダクトを提供することを課題とするものである。
【課題を解決するための手段】
【０００６】
上記課題を解決するために本発明に係る配線ダクトは、両側の側面部１と、スタッド２が立設されるスタッド立設部３を設けた上面部４と、両側面部１と上面部４とで囲まれた配線ケーブル１５を収容するための配線収容空所５とを備え、両側面部１のうち一方の側面部１又は両側面部１の長手方向に、幅木６を着脱自在に取付けるための複数の幅木取付け部７と、複数の開口部８と、配線器具９を取付けるための複数の配線器具取付け部１０とをそれぞれ隔設し、長手方向の複数個の配線器具取付け部１０のうち任意の配線器具取付け部１０に配線器具９を取付け、側面部１の配線器具９を取付けていない部分を幅木６で隠蔽すると共に幅木６に設けた被取付け部１１を側面部１の幅木取付け部７に着脱自在に取付けて成ることを特徴とするものである。
【０００７】
このような構成とすることで、配線ダクト１４の上面部のスタッド立設部３にスタッド２を立設して、配線ダクト１４の上に間仕切り壁１６を形成することができるものであり、しかも、配線ダクト１４の上面部４で受けた間仕切り壁１６からの荷重は両側面部１で支持されるものであって、間仕切り壁１６の支持強度が強く、また、両側面部１と上面部４とで囲まれた空間を配線ケーブル１５を収容するための配線収容空所５としてあるので、配線ケーブル１５の収納スペースが広いものであり、また、側面部１の長手方向に、幅木６を着脱自在に取付けるための複数の幅木取付け部７と、複数の開口部８と、配線器具９を取付けるための複数の配線器具取付け部１０とをそれぞれ長手方向に隔設してあるので、間仕切り壁１６等の施工後において、幅木６を取り外した状態で、配線器具９を長手方向に複数隔設した配線器具取付け部１０のうち１乃至複数の任意の配線器具取付け部１０に配線器具９を取付ける作業を行い、また、側面部１に長手方向に隔設して設けた開口部８を利用して配線器具９と配線ケーブル１５とを接続したりする作業を行うことができて、これらの作業中に幅木６を傷付けたりすることがないものであり、また、配線器具９の取付け、配線ケーブル１５との接続が終った後に長手方向に複数設けた幅木取付け部７を利用して幅木６を取付けて側面部１の配線器具９を取付けていない部分を幅木６で簡単に隠蔽することができる。これらの結果、間仕切り壁等の施工後に配線ダクト１４の側面部１において配線器具の移設や増設が簡単にできるものである。
【０００８】
また、スタッド立設部３に配線収容空所５と上面部の上方の空間とを連通するための配線挿通孔１２を設けることが好ましい。
【０００９】
このような構成とすることで、配線挿通孔１２に配線ケーブル１５を通すことにより、配線収納空所５内の配線ケーブル１５を間仕切り壁１６内に導入したり、あるいは、間仕切り壁１６内から配線収納空所５内に配線ケーブル１５を導入することができて、配線作業が容易に行えるものである。
【００１０】
また、両側の側面部１の下端間の下面部に配線収容空所５と下方の空間とを連通する下配線挿通用開口１３を設けることが好ましい。
【００１１】
このような構成とすることで、配線収容空所５に配線ケーブル１５を通すことにより、床下から配線収納空所５内に配線ケーブル１５を導入したり、あるいは、配線収納空所５から床下に配線ケーブル１５を導出することができて、配線作業が容易に行えるものである。
【発明の効果】
【００１２】
本発明は、上記のように、配線ダクトの両側面部により間仕切り壁を安定して支持でき、また、間仕切り壁等の施工後にスタッドを支持する配線ダクトの側面部に配線器具の移設や増設作業が簡単にでき、しかも、配線器具の移設や増設作業の際に幅木を傷付けたりすることがないものである。
【発明を実施するための最良の形態】
【００１３】
以下、本発明を添付図面に示す実施形態に基いて説明する。図１、図２には本発明の配線ダクト１４が示してある。配線ダクト１４は、配線ダクト１４の主体を構成するダクト本体１７と、ダクト本体１７の側面部１に着脱自在に取付ける幅木６とで構成してある。
【００１４】
ダクト本体１７は金属製であって、両側の側面部１と上面部４とで下方が開口した略コ字状に構成してあって、両側面部１と上面部４とで囲まれた空間が配線ケーブル１５を収容するための配線収容空所５となっている。また、両側面部１の下端部には長手方向の全長にわたって１対の下横片部２０ａが設けてあって下面部２０を構成してある。
【００１５】
ダクト本体１７の上面部４の巾方向の両端部には長手方向の全長にわたって支持突片１８が上方に向けて垂直に突設してあり、上面部４の上記両側の支持突片１８間の部分が上方に開口したコ字状をしたスタッド立設部３となっており、また、上面部４の巾方向の両端部の支持突片１８よりも外側の部位はボードのような面板２９の下端部を載設するための面板載設部４ａとなっている。また、スタッド立設部３には上面部４の長手方向に一定間隔で複数の配線挿通孔１２が隔設してある。
【００１６】
ダクト本体１７の両側面部１のうち一方の側面部１又は両側面部１（添付図面に示す実施形態では両側面部１）には長手方向に、幅木６を着脱自在に取付けるための複数の幅木取付け部７と、複数の開口部８と、配線器具９を取付けるための複数の配線器具取付け部１０とをそれぞれ隔設してある。側面部１の長手方向には一定ピッチで側面部１の上下方向にわたって連続した壁片１９が隔設してあり、この壁片１９の上端部は上面部４に一体に連続し且つ下端部が下横片部２０ａに一体に連続している。このダクト本体１７の側面部１の長手方向に一定ピッチで隔設した複数の壁片１９に幅木取付け部７が設けてある。添付図面に示す実施形態では壁片１９の中央部にだるま孔２１を設けて、該だるま孔２１を幅木取付け部７としている。だるま孔２１は、大径孔２１ａの下端部に大径孔２１ａよりも小径の小径孔２１ｂを連通形成することで構成してある。
【００１７】
側面部１の長手方向に一定ピッチで隔設した壁片１９と壁片１９との間の中間部分にはそれぞれ配線器具９を取付けるための配線器具取付け部１０が設けてあり、壁片１９と配線器具取付け部１０との間はそれぞれ開口部８となっている。
【００１８】
本実施形態では、配線器具取付け部１０には取付け金具２２を介して配線器具９を取付けるようになっている。すなわち、添付図面に示す実施形態では壁片１９と壁片１９との間の中間部分の上下に隙間２３を介して係止片２４を設けることで配線器具取付け部１０を構成してあり、この配線器具取付け部１０に取付け金具２２を着脱自在に取付けることができるようになっている。図３には取付け金具２２の一例が示してあり、取付け金具２２の上下両端部に設けた二股となった被係止部２５を係止片２４に係止することで配線器具取付け部１０に着脱自在に取付け金具２２を取付けることができるようになっている。この場合、取付け金具２２の横巾（側面部１の長手方向と同方向の巾）が開口部８の横巾（側面部１の長手方向と同方向の巾）よりも小さくなっており、開口部８から取付け金具２２を配線器具取付け部１０側にスライドさせることで被係止部２５を係止片２４に着脱自在に係止できるものである。
【００１９】
取付け金具２２の両側にはねじ孔よりなる取付け孔２６が設けてあり、また、壁片１９の両端部にはそれぞれねじ孔よりなる取付け孔２７が設けてある。そして、側面部１の長手方向に複数個設けた配線器具取付け部１０のうちの任意の配線器具取付け部１０に取付け金具２２を取付けた状態で、取付け金具２２の一端部の取付け孔２６に配線器具９を取付けた配線器具取付け枠２８をねじにより取付けることができ、この場合、更に、配線器具取付け枠２８の他端部を壁片１９の取付け孔２７にねじにより取付けることができるようになっている。
【００２０】
上記のように、配線ダクト１４の主体を構成するダクト本体１７の側面部１には長手方向に、壁片１９と、幅木６を着脱自在に取付けるための複数の幅木取付け部７と、複数の開口部８と、配線器具９を取付けるための複数の配線器具取付け部１０とをそれぞれ隔設してある。添付図面に示す実施形態では両側面部に設けた壁片１９と、幅木取付け部７と、複数の開口部８と、複数の配線器具取付け部１０は、それぞれ一方の側面部１と他方の側面部１とで長手方向における壁片１９、幅木取付け部７、開口部８、配線器具取付け部１０の位置がずれている。
【００２１】
また、ダクト本体１７の下面部２０は両側に全長にわたってした下横片部２０ａを形成することで構成してあるが、下横片部２０ａ間が配線収容空所５と下方の空間とを連通する下配線挿通用開口１３となっている。ここで、添付図面に示す実施形態では下配線挿通用開口１３が下面部２０の全長にわたって形成してあるが、下面部２０の長手方向に複数の下配線挿通用開口１３を隔設してもよいものである。
【００２２】
幅木６の背面部には幅木取付け部７に着脱自在に取付けるための被取付け部１１が設けてある。図４には被取付け部１１の一例が示してあり、被取付け部１１には幅木６の背面から突出する首部３０と、首部３０の先端部に設けた首部３０よりも径の大きい拡大部３１とを備えている。この被取付け部１１は接着剤、ねじ、釘等の固着手段により幅木６の背面部に取付けられる。拡大部３１は前述の幅木取付け部７を構成するだるま孔２１の大径孔２１ａよりも小さく且つ小径孔２１ｂよりも大きく、また、首部３０は前述の幅木取付け部７を構成するだるま孔２１の小径孔２１ｂよりも小さくなっている。したがって、大径孔２１ａに拡大部３１を挿通した状態で幅木６を下方にずらすことで拡大部３１が小径孔２１ｂの背面側に係止して幅木６を着脱自在に取付けることができるようになっている。
【００２３】
上記のような構成の配線ダクト１４は例えば次のようにして施工される。
【００２４】
すなわち、床下地施工業者（フロア施工業者）によって床スラブ３２の上に床下地３４を形成する床下地工事を行う。床下地工事に当たっては、床スラブ３２上面に墨出しを行ない、次に、図５に示すように支持脚３３を床スラブ３２上に立設し、該支持脚３３に床下地３４を構成する床パネル３５と配線トレイ３６とを設置し、配線トレイ３６は長手方向の両端部を隣接する支持脚３３に設置するものであり、また、床パネル３５は正方形状をしていて四隅部分を支持脚３３に設置するものであり、上記配線トレイ３６が隣接する床パネル３５間に沿って配置されることになる。ここで、縦方向、横方向に配置された複数の配線トレイ３６は上方が開口していると共に支持脚３３の上面の上方の空間部分を介して縦横に連通しており、したがって、上記複数の配線トレイ３６と支持脚３３の上面とで複数縦横に交差連通する配線用凹溝部３７が形成してあることになる。このようにして上面に配線用凹溝部３７を複数縦横に交差連通させて形成した床下地３４を床スラブ３２の上方に空間３８を介して形成する。
【００２５】
上記のような床下地施工業者による床下地３４の形成が終わると、次に、軽鉄工事業者による軽鉄よりなる間仕切り壁用骨組み体３９の工事を行う。間仕切り壁用骨組み体３９の工事に当たっては、まず、配線ダクト１４を間仕切壁用骨組み体３９を形成しようとする床下地３４の位置に設置し、次に、配線ダクト１４のスタッド立設部３上にスタッド２を立設し、スタッド２の上端部間は上横枠（図示せず）に固定することで図６に示すように間仕切用骨組み体３９を形成する。
【００２６】
上記のような軽鉄工事業者による間仕切り壁用骨組み体３９の形成工事が終わると、次に、電気配線工事業者による電気配線工事を行う。電気配線工事は、図７に示すように、電線や信号線等の配線ケーブル１５を、床下地３４の上に縦横に形成した配線用凹溝部３７に配線し且つ配線用凹溝部３７の配線ダクト１４に対応した位置から配線ダクト１４の下配線挿通用開口１３を通って配線収容空所５、配線挿通孔１２、間仕切り壁用骨組み体３９のスタッド２間の空所４０に一連に通して配線工事を行うものである。この配線作業において、上記のように配線ダクト１４の側面部１に開口部８を隔設してあるので、この開口部８を利用して配線用凹溝部３７と下配線挿通用開口１３との通線作業、配線収容空所５内における配線作業、配線収容空所５から任意の配線挿通孔１２からスタッド２間の空所４０への通線作業が簡単且つ容易に行えるものである。このように、配線ダクト１４に配線挿通孔１２や下配線挿通用開口１３を設けることで、配線（工事）の自在性が向上するものである。
【００２７】
ここで、上記のように電気配線工事において間仕切り壁用骨組み体３９の任意のスタッド２の側面の任意の高さにはコンセントやスイッチ等の配線器具９を取付け、スタッド２間の空所４０に通線した配線ケーブル１５を接続したり、あるいは、図示を省略しているが、天井に天井用ジョイントボックスを取付け、この天井用ジョイントボックスから間仕切り壁用骨組み体３９の任意のスタッド２間の空所４０を通して配線挿通孔１２、配線収容空所５、下配線挿通用開口１３を経て、床下地３４上に縦横に形成した配線用凹溝部３７に通線し、床下地３４の任意の位置に配線ケーブル１５を通線するようにしてもよい。
【００２８】
また、配線ダクト１４の側面部１に設けた任意の配線器具取付け部１０に配線器具９を取付ける。この場合、添付図面に示す実施形態では、長手方向に複数隔設した配線器具取付け部１０のうち任意の配線器具取付け部１０に取付け金具２２を取付け、取付け金具２２の一端部の取付け孔２６に配線器具取付け枠２８をねじにより取付けると共に、配線器具取付け枠２８の他端部を壁片１９の取付け孔２７にねじにより取付け、更に、配線器具取付け枠２８に配線器具９を取付けることで、配線ダクト１４の長手方向の任意の位置に配線器具９を取付ける。この場合、配線ダクト１４の側面部１の開口部８を利用して配線器具９に配線収容空所５内に収容した配線ケーブル１５を接続する作業を行う。
【００２９】
上記のような電機配線工事業者による電機配線工事が終わると、次に、図８に示すように、内装仕上げ業者による床仕上げ工事を行うと共に間仕切り用内装仕上げ工事を行う。この場合、内装仕上げ業者は間仕切り壁以外の壁の内装仕上げや天井の内装仕上げ工事も行うものである。床仕上げ工事は床下地３４上にフローリングのような床仕上げ材４１を敷設する工事であり、床仕上げ材４１を床下地３４上に敷設することで床下地３４の上面に縦横に連通形成した配線用凹溝部３７を覆い隠すことができるものである。また、配線ダクト１４の主体を構成するダクト本体１７の上面部の面板載設部４ａに面板２９を載設して間仕切り壁用骨組み体３９の両面に面板２９を取着し、必要に応じて面板２９の表面に壁クロス等を貼着することで間仕切り壁１６を形成するものである。
【００３０】
このような内装仕上げ業者による床仕上げ工事や間仕切り用内装仕上げ工事等の内装仕上げ工事が終わると、最後に電気配線工事業者が、コンセントやスイッチ等の配線器具９の配設位置に対応する面板２９位置に孔を開けて配線器具９を孔に臨ませ、配線器具９に配線カバー等を取付けて孔の周囲を塞いで配線器具９の配線カバーを面板２９の前面に露出させる。また、配線ダクト１４の側面部１の配線器具９を取付けていない部分を幅木６で隠蔽するのであるが、この場合、幅木６に設けた被取付け部１１を側面部１の幅木取付け部７に着脱自在に取付けるものである。ここで、配線器具取付け枠２８の表面側にはプレート枠４２、化粧プレート４３が取付けられるが、配線器具９に対応する位置に配線器具９の前部分が嵌り込む孔を幅木６に形成する場合には、配線ダクト１４の側面部１に着脱自在に取付けて配線器具９を幅木６に形成した孔に嵌め込んだ状態で、幅木６の表面側にプレート枠４２、化粧プレート４３を配置して幅木６を介してプレート枠４２を配線器具取付け枠２８にねじなどで取付け、プレート枠４２に化粧プレート４３を着脱自在な係止手段により取付けたり、あるいは、配線ダクト１４の長手方向に沿って幅木６を複数個に分割し、配線器具９の両側（側面部１の長手方向と同方向の両側）にそれぞれ分割した幅木６の端部が位置するように各幅木６を配線ダクト１４の側面部１に着脱自在に取付け、両幅木６の表面側において両幅木６の端部間に跨るようにプレート枠４２を配置してねじなどにより取付け、更に、プレート枠４２の表面側に化粧プレート４３を着脱自在な係止手段により取付けたりするものである。このようにして着脱自在に取付けられた幅木６は図９に示すようにその下端が床仕上げ材４１の上面に当接する。
【００３１】
以上の順序で建物の内部において配線工事を含む屋内建築工事を行うことで、上記のように、床下地施工業者（フロア施工業者）による床下地３４の施工、その後の軽鉄工事業者による間仕切り壁用骨組み体３９の施工の前には電気配線工事業者による電気配線工事が必要でなく、間仕切り壁用骨組み体３９の施工後になってはじめて、電気配線工事業者によって床下地３４の上面に形成した複数縦横に交差連通させて形成した配線用凹溝部３７に配線ケーブル１５を配線すると共に間仕切り壁用骨組み体３９内に配線する電気工事を行えばよいものである。このため、床下地施工業者（フロア施工業者）による床下地３４の施工に先だって電気配線工事業者により床スラブ上に床配線工事を行わなければならない場合に比べて電気配線工事業者による電気配線工事の回数を少なくできて配線工事を含む屋内建築工事の施工が簡略化すると共に施工期間も短縮できることになる。
【００３２】
しかも、上記のように電気配線工事業者による電気配線工事を間仕切り壁用骨組み体３９の施工後に行うことでよいので、新築あるいは改築いずれの場合であっても、床下地３４の上の任意の位置に間仕切り壁用骨組み体３９を形成したとしても、つまり、間仕切り壁用骨組み体３９の立設位置を現場で自由に設定したり、変更したり、追加したりする場合であっても、床下地３４の配線用凹溝部３７、間仕切り壁用骨組み体３９内を通るように配線ケーブル１５を配線する配線工事を行うことができるものである。したがって、本発明によれば、室内における電気配線を施す間仕切り壁１６の立設位置を自由に設定でき、また、間仕切位置の立設位置を変更したり、追加したりする場合にも容易に対応できるものである。
【００３３】
更に、特徴的なことは、本発明においては、間仕切り壁１６、床仕上げ材４１の施工後においても、配線ダクト１４の側面部１における配線器具９の取付け位置の変更や追加が容易に行えることである。
【００３４】
すなわち、間仕切り壁１６や床仕上げ材４１の施工後に配線器具９の取付け位置の変更や追加を行うには、まず、ダクト本体１７から幅木６を外し、配線ダクト１４の側面部１に設けた複数の配線器具取付け部１０のうち、変更しようとする位置に配線器具９を取付け直す。この場合、添付図面に示す実施形態では、配線器具取付け枠２８を外し、次に、取付け金具２２を外して変更しようとする位置の配線器具取付け部１０に取付け金具２２を取付け直し、このようにして位置を変更した取付け金具２２の一端部の取付け孔２６に配線器具取付け枠２８をねじにより取付けると共に、配線器具取付け枠２８の他端部を壁片１９の取付け孔２７にねじにより取付け、更に、配線器具取付け枠２８に配線器具９を取付けると共に、配線収容空所５に収容している配線ケーブル１５を配線器具９に接続し、再び幅木６を前述のようにしてダクト本体１７の側面部１の配線器具９を取付けていない部分を隠蔽するように取付けるものである。この場合、先に取付けていた幅木６に配線器具９を嵌め込むための孔を設けていた場合には、別の幅木６と交換する。
【００３５】
なお、幅木６をダクト本体１７の側面部１に着脱自在に取付けるに当たっては上記の例にのみ限定されず、例えば、面状ファスナにより着脱自在に取付けるようにしてもよい。この場合、ダクト本体１７の側面部１の長手方向に隔設した複数個の壁片１９の外面にそれぞれ面状ファスナの雄又は雌止着部を設けると共に幅木６の背面に面状ファスナの雌又は雄止着部を設ける。もちろんこれ以外の他の着脱取付け手段を採用することができる。
【００３６】
また、上記実施形態では、側面部１の長手方向に複数個設けた配線器具取付け部１０のうちの任意の配線器具取付け部１０に取付け金具２２を取付け、この取付け金具２２の一端部の取付け孔２６と壁片１９の取付け孔２７に配線器具取付け枠２８を取付けた例を示したが、配線器具取付け部１０にのみ取付け金具２２を取付けて、該取付け金具２２に配線器具取付け枠２８を取付けるようにしてもよく、また、配線器具取付け部１０に直接配線器具取付け枠２８を直接取付けるようにしてもよいものである。
【００３７】
いずれにせよ、本発明においては、ダクト本体１７の側面部１の長手方向に複数個の配線器具取付け部１０を隔設し、この複数の配線器具取付け部１０のうち任意の配線器具取り付け部１０に配線器具９を取付ける配線器具取付け枠２８を直接又は間接に取付けるので、配線器具９の取付け作業をする際に、幅木６に関係なく配線器具９の取付け作業、配線収容空所５内に収容した配線ケーブル１５と配線器具９との接続作業等に当たって、幅木６が邪魔になることなく作業ができ、また、これらの作業により幅木６が傷付いたり、汚れたりしないようになっている。
【００３８】
なお、上記電気工事の施工手順は一例であって、例えば、配線器具９をあらかじめ取付けたまたは一体となった配線器具取付け枠２８を用意し、配線器具９に結線作業を行った後、配線器具取付け枠２８を取付けるようにする等、電気工事自体の手順が多少前後してもよいし、また、電気工事と他の工事との手順が多少前後してもよく、入居直前、直後の配線対応を容易に行うことが出来る範囲で、適宜施工手順の変更があってもよい。
【００３９】
また、本発明においては、配線ダクト１４の上面部４で受けた間仕切り壁１６からの荷重は両側面部１で支持されることになり、間仕切り壁１６の支持強度が強いものであり、しかも、両側面部１と上面部４とで囲まれた空間を配線ケーブル１５を収容するための配線収容空所５としてあるので、配線ケーブル１５の収納スペースが広く、両側面部１の任意の配線器具取付け部１０に取付けた配線器具９に両側面部１に設けた開口部８を利用して配線ケーブル１５を接続する作業が容易に行えるものである。もちろん、本発明においては、一方の側面部１にのみ長手方向に、幅木６を着脱自在に取付けるための複数の幅木取付け部７と、複数の開口部８と、配線器具９を取付けるための複数の配線器具取付け部１０とをそれぞれ隔設し、他方の側面部１には長手方向の全長にわたって壁片１９を設けたものであってもよい。また、本発明によれば、配線ダクト１４の配線収容空所５にジョイントボックス等の中継部材を配設することができ、それにより、配線の自在性を向上させることができる。
【００４０】
なお、図５乃至図８に示す配線ダクト１４の施工例は一例であり、配線トレイ３６の無いフロアシステムであっても、本発明の配線ダクト１４は施工できる。
【図面の簡単な説明】
【００４１】
【図１】本発明の配線ダクトの一部分解斜視図である。
【図２】（ａ）は同上の配線ダクトの主体となるダクト本体の平面図であり、（ｂ）は側面図であり、（ｃ）は正面図である。
【図３】（ａ）は同上に用いる取付け金具の平面図であり、（ｂ）は側面図であり、（ｃ）は正面図である。
【図４】（ａ）は同上に用いる幅木の背面側に設ける被取付け部の平面図であり、（ｂ）は側面図であり、（ｃ）は正面図である。
【図５】同上の配線ダクトを用いた間仕切り壁の形成順序を示す説明図である。
【図６】同上の配線ダクトを用いた間仕切り壁の形成順序を示す説明図である。
【図７】同上の配線ダクトを用いた間仕切り壁の形成順序を示す説明図である。
【図８】同上の配線ダクトを用いた間仕切り壁の形成順序を示す説明図である。
【図９】同上の配線ダクトを施工した状態の断面図である。
【符号の説明】
【００４２】
１  側面部
２  スタッド
３  スタッド立設部
４  上面部
５  配線収容空所
６  幅木
７  幅木取付け部
８  開口部
９  配線器具
１０  配線器具取付け部
１１  被取付け部
１２  配線挿通孔
１３  下配線挿通用開口
１４  配線
【図１】
2005253185.tif 000003
【図２】
2005253185.tif 000004
【図３】
2005253185.tif 000005
【図４】
2005253185.tif 000006
【図５】
2005253185.tif 000007
【図６】
2005253185.tif 000008
【図７】
2005253185.tif 000009
【図８】
2005253185.tif 000010
【図９】
2005253185.tif 000011